(57)【要約】      （修正有）【課題】建物に多用されている板ガラスを有効活用し、メモや筆記具、掲示物等の各種用品を板ガラスにマグネットで容易に貼り付け可能にするマグネット可着ガラスフィルムを提供する。【解決手段】マグネット可着ガラスフィルムであって、樹脂製の基材フィルム２と、前記基材フィルム２の一方の面に形成された、板ガラスに貼着可能な再剥離性の吸着層３と、前記基材フィルム２の他方の面に塗布された強磁性の微粒子を含有する塗膜４と、を備える。【選択図】図２
0003194154.tif 000002
【実用新案登録請求の範囲】
【請求項１】
樹脂製の基材フィルムと、
前記基材フィルムの一方の面に形成された、板ガラスに貼着可能な再剥離性の吸着層と、
前記基材フィルムの他方の面に塗布された強磁性の微粒子を含有する塗膜と、を備える、
マグネット可着ガラスフィルム。
【請求項２】
前記塗膜には、鉄の微粒子が含有されている、
請求項１に記載のマグネット可着ガラスフィルム。
【請求項３】
前記基材フィルムおよび前記吸着層は、無色透明である、
請求項１または２に記載のマグネット可着ガラスフィルム。
【考案の詳細な説明】
【技術分野】
【０００１】
本考案は、マグネット可着ガラスフィルムに関する。
【背景技術】
【０００２】
オフィスや店舗、住居といった建物の外壁の窓には、板ガラスが多用されている。また、建物の内部の壁や商品を陳列する什器、展示品を収める展示器具類にも板ガラスが多用されている。
【考案の概要】
【考案が解決しようとする課題】
【０００３】
オフィスや店舗、住居には、メモや筆記具、掲示物等の各種用品が置かれている。これらの用品は、収納棚に保管されたり掲示板に貼り付けられたりする他、スチール製の家具や冷蔵庫の扉にマグネットで貼り付けられたりする。しかし、スチール製の家具や冷蔵庫は、オフィスや店舗、住居内の一部に配置されているに過ぎない。例えば、スチール製の家具は、オフィスでは採用されているが、住居ではほとんど採用されていない。また、冷蔵庫は、住居では台所のみに設置され、オフィスでは居室の隅に配置されているに過ぎない。
【０００４】
そこで、本考案は、建物に多用されている板ガラスを有効活用し、メモや筆記具、掲示物等の各種用品を板ガラスにマグネットで容易に貼り付け可能にするマグネット可着ガラスフィルムを提供することを課題とする。
【課題を解決するための手段】
【０００５】
本考案は、建物に多用されている板ガラスにマグネットを貼り付けることができるよう、板ガラスに貼着可能な再剥離性の吸着層を一方の面に形成した基材フィルムの他方の面に、強磁性の微粒子を含有する塗膜を設けることとした。
【０００６】
詳細には、本考案は、樹脂製の基材フィルムと、前記基材フィルムの一方の面に形成された、板ガラスに貼着可能な再剥離性の吸着層と、前記基材フィルムの他方の面に塗布された強磁性の微粒子を含有する塗膜と、を備えるマグネット可着ガラスフィルムである。
【０００７】
上記マグネット可着ガラスフィルムであれば、吸着層が基材フィルムの一方の面に形成されているので、板ガラスに貼着可能である。そして、基材フィルムの他方の面には強磁性の微粒子を含有する塗膜が形成されているので、塗膜にマグネットを接触させ或いは接近させると、塗膜に含有されている強磁性の微粒子がマグネットによる外部磁場を受けて磁気的に分極する。この結果、塗膜に含有されている強磁性の微粒子と、塗膜に接触し或いは接近するマグネットとの間に磁力が作用し、マグネットが塗膜に引き寄せられる。
【０００８】
上記マグネット可着ガラスフィルムを使えば、各種用品をマグネットで窓ガラス等に貼り付けることができる。よって、従来であれば、マグネットで貼り付けることができる箇所がほとんど限られていたオフィスや店舗、住居内を有効活用することができる。すなわち、従来であれば、マグネットで物品を貼り付けることができるのは、例えば、冷蔵庫やスチール製の家具といった極めて限定的な箇所しかなかったが、上記マグネット可着ガラスフィルムを使うことにより、ほとんどの居室に設けられている窓ガラス等の板ガラスを有効活用することができ、マグネットを使った物品の貼り付けの自由度が増す。
【０００９】
なお、前記塗膜には、鉄の微粒子が含有されていてもよい。塗膜に鉄の微粒子が含有さ
れていれば、塗膜に接触し或いは接近するマグネットと塗膜に含有されている微粒子との間に磁力が作用し、マグネットを塗膜に引き寄せることができる。
【００１０】
また、前記基材フィルムおよび前記吸着層は、無色透明であってもよい。基材フィルムと吸着層が透明であれば、板ガラスを通じて塗膜の色を見ることができる。よって、各種の図柄が塗膜で描画されている場合に、塗膜で描かれている図柄を、板ガラスを通して見せることができる。
【考案の効果】
【００１１】
本考案によれば、建物に多用されている板ガラスを有効活用し、メモや筆記具、掲示物等の各種用品を板ガラスにマグネットで容易に貼り付けることが可能になる。
【図面の簡単な説明】
【００１２】
【図１】図１は、実施形態に係るマグネット可着ガラスフィルムの一例を示した斜視図である。
【図２】図２は、実施形態に係るマグネット可着ガラスフィルムの断面構造の一例を示した図である。
【図３】図３は、マグネット可着ガラスフィルムの使用方法の一例を示した図である。
【考案を実施するための形態】
【００１３】
以下、本考案の実施形態を説明する。以下に示す実施形態は例示であり、本考案の技術的範囲はこれらに限定されるものではない。
【００１４】
図１は、実施形態に係るマグネット可着ガラスフィルムの一例を示した斜視図である。本実施形態に係るマグネット可着ガラスフィルム１は、板ガラスに貼着容易な適当な大きさのフィルムである。なお、図１には、長方形のマグネット可着ガラスフィルム１が図示されているが、マグネット可着ガラスフィルム１は、このような形状に限定されるものではない。マグネット可着ガラスフィルム１は、例えば、正方形、円形、楕円形、ひし形、三角形、五角形、その他各種の形状を呈するものであってもよい。
【００１５】
図２は、実施形態に係るマグネット可着ガラスフィルム１の断面構造の一例を示した図である。本実施形態に係るマグネット可着ガラスフィルム１は、図２に示すように、基材となる樹脂製の基材フィルム２と、基材フィルム２の一方の面に形成された、板ガラスに貼着可能な再剥離性の吸着層３と、基材フィルム２の他方の面に塗布された強磁性の微粒子を含有する塗膜４と、を備える。吸着層３の表面は、異物の付着を防止する剥離フィルム５で覆われている。剥離フィルム５は、マグネット可着ガラスフィルム１を板ガラスに貼り付ける際に吸着層３から剥がされる。
【００１６】
基材フィルム２は、吸着層３や塗膜４を形成するための基材としての役割を果たすフィルムである。基材フィルム２を構成する素材は、吸着層３や塗膜４を形成するための基材としての役割を果たせるものであれば如何なる素材であってもよい。基材フィルム２を構成する素材としては、例えば、ポリエステルが挙げられる。ポリエステルは、強度や加工性、耐熱性に優れ、また、伸縮しにくいので寸法の安定性にも優れるため、太陽光が当たる窓ガラス等への貼り付けにも耐えることができる。なお、基材フィルム２を構成する素材としては、ポリエステルの他にも、例えば、アクリルやポリカーボネート、ポリイミド等が挙げられる。
【００１７】
基材フィルム２は、如何なる厚さであってもよいが、貼り付け作業の容易性や生産性、耐久性等を総合的に勘案すると、ポリエステル製の場合には数十μｍから数百μｍ程度の
厚さにすることが好ましい。基材フィルム２の厚さが薄すぎると、板ガラス６に貼り付けるフィルムとして必要な強度を確保することが難しくなる。また、基材フィルム２の厚さが厚すぎると、可撓性の低下により貼り付けが困難になったり、生産性が著しく低下したりする虞が有る。
【００１８】
基材フィルム２および吸着層３は、無色透明であってよいし、有色であってもよい。基材フィルム２および吸着層３が無色透明であれば、板ガラスを通じて塗膜４の色を見ることができる。よって、各種の図柄が塗膜４で描画されている場合に、塗膜４で描かれている図柄を、板ガラスを通して見せることができる。
【００１９】
吸着層３は、吸着性を有する素材を基材フィルム２に塗工して形成される層であり、マグネット可着ガラスフィルム１を、被着体となる板ガラスに固定する役割を果たす。吸着層３は、板ガラスに再剥離可能な吸着性のものであれば如何なる素材で形成されていてもよい。板ガラスから再剥離可能な吸着性の素材で吸着層３を形成すれば、例えば、板ガラスに各種の用品をマグネットで貼り付けたい場合にマグネット可着ガラスフィルム１を板ガラスに貼り付け、板ガラスへの各種用品の貼り付けが不要になった場合にマグネット可着ガラスフィルム１を板ガラスから容易に剥がすことができる。よって、専門的な技術を有しない一般のユーザでもマグネット可着ガラスフィルム１を容易に着脱できる。
【００２０】
塗膜４は、強磁性の微粒子を含有する塗料を基材フィルム２に塗布して形成した塗膜である。塗膜４に含有されている強磁性の微粒子は、塗膜４にマグネットが接触し或いは接近すると、マグネットによる外部磁場を受けて磁気的に分極する。この結果、塗膜４に含有されている強磁性の微粒子と、塗膜４に接触し或いは接近するマグネットとの間に磁力が作用し、マグネットが塗膜４に引き寄せられる。なお、塗膜４に含有されている強磁性の微粒子は、マグネットを磁力で引き寄せるものであれば如何なるものであってもよく、例えば、鉄やニッケルといったいわゆる鉄族の元素からなる微粒子を適用可能である。塗膜４は、各種の用品が接触しても、接触の際の衝撃等に耐える強度を有していることが好ましい。塗膜４を形成する塗料としては、例えば、水性のアクリルラテックス塗料に鉄の微粒子を含有させたＭａｇＰａｉｎｔ  Ｅｕｒｏｐｅ社のＭａｇＰａｉｎｔ（登録商標）が挙げられる。塗膜４の厚さは特に限定されないが、ＭａｇＰａｉｎｔを使用する場合、厚さが例えば２５０μｍ程度になるように塗膜４を形成すると、紙や筆記具といった各種の物品をマグネットでマグネット可着ガラスフィルム１に貼り付け可能な磁力を生じさせることができる。
【００２１】
剥離フィルム５は、吸着層３から容易に剥離できるフィルムである。剥離フィルム５は、吸着層３から容易に剥離できるものであれば如何なる素材で形成されていてもよい。剥離フィルム５は、例えば、ポリプロピレンで形成できる。
【００２２】
図３は、マグネット可着ガラスフィルム１の使用方法の一例を示した図である。マグネット可着ガラスフィルム１を使用する場合は、剥離フィルム５を吸着層３から剥がしたマグネット可着ガラスフィルム１を、吸着層３がガラス面に接触するようにして、建物の窓ガラス６等に貼り付ける（図３（Ａ））。そして、例えば、メモを書き込んだ紙７といった所望の物品をマグネット可着ガラスフィルム１の塗膜４にあてがった状態で、マグネット８を更に重ねる。すると、マグネット８が塗膜４に含まれている強磁性の微粒子に引き寄せられ、マグネット８が紙７をマグネット可着ガラスフィルム１に貼り付けた状態になる（図３（Ｂ））。紙７を取りたい場合は、紙７を手で掴みながらマグネット８を手で引き寄せればマグネット８がマグネット可着ガラスフィルム１から簡単に離れ、紙７を取ることができる。
【００２３】
上記実施形態に係るマグネット可着ガラスフィルム１を使えば、建物に多用されている
窓ガラス等の板ガラスを有効活用し、オフィスや店舗、住居等で使われるメモや筆記具、掲示物等の各種用品をマグネット８で窓ガラス等に貼り付けることができる。よって、従来であれば、マグネットで貼り付けることができる箇所がほとんど限られていたオフィスや店舗、住居内を有効活用することができる。すなわち、従来であれば、マグネットで物品を貼り付けることができるのは、例えば、冷蔵庫やスチール製の家具といった極めて限定的な箇所しかなかったが、上記実施形態に係るマグネット可着ガラスフィルム１を使うことにより、ほとんどの居室に設けられている窓ガラス等の板ガラスを有効活用することができ、マグネットを使った物品の貼り付けの自由度が増す。
【符号の説明】
【００２４】
１・・・マグネット可着ガラスフィルム：２・・・基材フィルム：３・・・吸着層：４・・・塗膜：５・・・剥離フィルム：６・・・板ガラス：７・・・紙：８・・・マグネット
【図１】
0003194154.tif 000003
【図２】
0003194154.tif 000004
【図３】
0003194154.tif 000005